(57)【要約】      （修正有）【課題】剛性を備えた一条の線材を所定形状に屈曲させ、水切り籠の任意の位置で係合させて深皿を含む複数枚の皿を重ねて支持する水切り籠用皿立て具を提供する。【解決手段】剛性を備える一条の線材が屈曲されて形成された水切り籠用皿立て具であって、水切り籠の内部に立設される皿支持部１１と、皿支持部の両端から一体に延設されて水切り籠の対向する内両側面部に弾性係合する脚部１３と、を備え、皿支持部は、水切り籠に装着された際に水切り籠の中央部に向かって傾斜する傾斜面を形成する皿支持部本体（中央屈曲部１４）を有する。【選択図】図１
0003221665.tif 000002
【実用新案登録請求の範囲】
【請求項１】
剛性を備える一条の線材が屈曲されて形成された水切り籠用皿立て具であって、
水切り籠の内部に立設される皿支持部と、
前記皿支持部の両端から一体に延設されて水切り籠の対向する内両側面部に弾性係合する脚部と、を備え、
前記皿支持部は、前記水切り籠に装着された際に前記水切り籠の中央部に向かって傾斜する傾斜面を形成する皿支持部本体を有することを特徴とする水切り籠用皿立て具。
【請求項２】
前記水切り籠は、全体略直方体形状であってメッシュ状に形成され、前記皿支持部は、前記水切り籠に装着されていることを特徴とする請求項１記載の水切り籠用皿立て具。
【請求項３】
前記皿支持部は、正面視Ｍ字状に形成されると共に、前記皿支持部本体は、正面視Ｖ字状であって、下端部が前記水切り籠の端部方向へ向かって傾斜して折曲形成された中央屈曲部により形成され、
前記脚部は、前記皿支持部本体と同一方向かつ同一角度で傾斜して折曲形成された皿支持補助部を有することを特徴とする請求項２に記載の水切り籠用皿立て具。
【請求項４】
前記皿支持補助部は、外方へ突出して前記幅方向内側面部に係合する係合部を一体に有することを特徴とする請求項３記載の水切り籠用皿立て具。
【考案の詳細な説明】
【技術分野】
【０００１】
本考案は、水切り籠用皿立て具に関し、特に、水切り籠の任意の位置に着脱することができる水切り籠用皿立て具に関する。
【背景技術】
【０００２】
従来の水切り籠用皿立て具は、矩形の線条枠に多条の線材を起立状態で並列状に連結することによって複数の皿受部を区画し、複数枚の皿を各皿受部に１枚の皿を離間した状態で支持するよう構成された食器用の皿立てが知られている（例えば、特許文献１参照）。
【先行技術文献】
【特許文献】
【０００３】
【特許文献１】特開２００８−０１８００５号公報
【考案の概要】
【考案が解決しようとする課題】
【０００４】
このような従来の食器用の皿立てにあっては、線材により形成された狭い空隙からなるスリット内に皿を立てて収納するように構成されている。
【０００５】
しかしながら、いわゆる深皿は、一般の皿よりも所定の厚さ寸法を有しており、深皿はスリット内に収納できない、という問題点があった。
【０００６】
本考案の課題は、上述のような課題を解決するために、いわゆる深皿を効率よく収納することができる水切り籠用皿立て具を提供するものである。
【課題を解決するための手段】
【０００７】
本考案に係る水切り籠用皿立て具は、上記目的を達成のため、剛性を備える一条の線材が屈曲されて形成された水切り籠用皿立て具であって、水切り籠の内部に立設される皿支持部と、前記皿支持部の両端から一体に延設されて水切り籠の対向する内両側面部に弾性係合する脚部と、を備え、前記皿支持部は、前記水切り籠に装着された際に前記水切り籠の中央部に向かって傾斜する傾斜面を形成する皿支持部本体を有するものである。
【０００８】
本考案に係る水切り籠用皿立て具は、脚部を水切り籠の対向する内両側面部に弾性係合させるだけで、皿支持部のうち傾斜されている皿支持部本体により複数の皿、特に、深皿を厚さ方向に重ねるように立て掛けて支持させて収納する。
【０００９】
ここで、本考案に係る水切り籠用皿立て具を水切り籠に使用した場合には、複数枚の深皿を斜めに傾斜させて厚さ方向に沿って効率よく収納することができることから、籠内に他の食器を効率よく収納することができる。
【００１０】
請求項２記載の水切り籠用皿立て具は、前記水切り籠は、全体略直方体形状であってメッシュ状に形成され、前記皿支持部は、前記水切り籠に装着されているものである。
【００１１】
本考案に係る水切り籠用皿立て具は、脚部を水切り籠の対向するメッシュ状の内両側面部に弾性係合させるだけで、皿支持部のうち傾斜されている皿支持部本体により複数の皿を重ねるように立て掛けて支持することができる。
【００１２】
請求項３記載の考案は、前記皿支持部は、正面視Ｍ字状に形成されると共に、前記皿支持部本体は、正面視Ｖ字状であって、下端部が前記水切り籠の端部方向へ向かって傾斜して折曲形成された中央屈曲部により形成され、前記脚部は、前記皿支持部本体と同一方向かつ同一角度で傾斜して折曲形成された皿支持補助部を有するものである。
【００１３】
したがって、脚部は、皿支持部の傾斜角度、すなわち、複数枚の皿を支持した際の荷重方向に対応して形成されており、深皿等の荷重をしっかりと支持することができる。
【００１４】
請求項４記載の考案は、前記皿支持補助部は、外方へ突出して前記幅方向内側面部に係合する係合部を一体に有するものである。
【００１５】
したがって、水切り籠の形状や幅方向内側面部の構造（メッシュ状やスリット状など）に応じた係合部とされている。
【考案の効果】
【００１６】
本考案によれば、脚部を水切り籠の対向する内両側面部に弾性係合させるだけで、皿支持部のうち傾斜されている皿支持部本体により複数の皿を重ねるように立て掛けて支持することにより、一条の線材のみで複数枚の皿を重ねて水切り籠に収めることができ、特に、いわゆる深皿を効率よく収納しつつ、水切り籠に他の洗浄済みの食器を収納するためのスペースを容易に確保することができる水切り籠用皿立て具とすることができる。
即ち、従来のようなスリットにより形成された皿立てにあっては、深皿を立てて収納することができないため、深皿を水切り籠内に厚さ方向に沿って複数枚重ねて収納した場合には、深皿のみが水切り籠内の収納スペースをとってしまい、他の食器の収納が困難又は非常に不安定な状態で重ねておかざるを得ない、という事態があったが、本考案に係る皿立て具を水切り籠に使用した場合には、深皿を水切り籠内の所定範囲内において立てで効率よく収納することができ、多くの様々な食器（家族３人から４人分の食器）を確実に、かつ安定した状態で水切り籠内に収納することが可能となる。
【００１７】
請求項２記載の考案にあっては、前記水切り籠は、全体略直方体形状であってメッシュ状に形成され、前記皿支持部は、前記水切り籠に装着されているものであることにより、脚部とメッシュ状の内両側面部との係合状態を容易に確保することができる。
【００１８】
また、メッシュ状の水切り籠であることから、請求項１記載の効果に加えて、従来のようなスリットにより形成された皿立て部を備えた水切り籠とは異なり、小型の食器がスリットから脱落する事態を回避することができる、という効果を奏する。
【００１９】
請求項３記載の考案にあっては、皿支持部本体の傾斜角度、すなわち、複数枚の皿を支持した際の荷重方向に対応した皿支持補助部とすることができ、強度を維持しつつ線条の太さの細径化や全体形状の簡素化に貢献することができる。
【００２０】
請求項４記載の考案にあっては、水切り籠の形状やメッシュ状の壁面構造に応じた係合部をすることにより、汎用性を向上することができる。メッシュ状の水切り籠の場合には水切り籠の内側面部に固定しやすい皿立て具を提供することが可能となる。
【図面の簡単な説明】
【００２１】
【図１】本考案に係る水切り籠用皿立て具の一実施の形態を示し、（Ａ）は正面図、（Ｂ）は側面図である。
【図２】本考案に係る水切り籠用皿立て具の一実施の形態における適用例を示し、（Ａ）は水切り籠に皿立て具を装着した状態の説明図、（Ｂ）は水切り籠に皿等の食器を収納した状態の説明図である。
【図３】本考案に係る水切り籠用皿立て具の一実施の形態における他の係合部を示し、（Ａ）は下向きクランク状の係合部の説明図、（Ｂ）は外側に凸のＶの字状の係合部の説明図である。
【考案を実施するための形態】
【００２２】
次に、本考案に係る一実施の形態について添付図面を参照して説明する。
【００２３】
図１に示すように、水切り籠用皿立て具１０は、ステンレス等の剛性を備える一条の線材が屈曲されており、正面視Ｍの字状の皿支持部１１と、皿支持部１１の両端から一体に延設されて後述する水切り籠の対向する内両側面部に弾性係合する係合部１２を一体に備えた脚部１３とを備える。
【００２４】
皿支持部１１は、前記水切り籠１０に装着された際に前記水切り籠１０の中央部に向かって傾斜する傾斜面Ａを形成する皿支持部本体１４を有している。
【００２５】
皿支持部１１は、その中央部分が皿支持部１１のうち、使用状態の正面視においてＶの字状とされた中央屈曲部１４となっている。また、中央屈曲部１４は、皿支持部本体を構成しており、図１（Ｂ）に示すように、下端部に向かうほど脚部１３から離間するように傾斜されている。
【００２６】
なお、中央屈曲部１４は、下端部が鋭利な角である厳密なＶの字状である必要はなく、下端部が緩やかな円弧又は屈曲した略Ｕの字状の形状をも含む。したがって、皿支持部１１の正面視形状においても、中央屈曲部１４の下端部の形状によって厳密なＭの字状を呈する必要はない。
【００２７】
本実施の形態において中央屈曲部１４の下端部は、皿支持部１１の両端部１５の下端よりも使用状態において上方となるように形成されている。
【００２８】
なお、両端部１５は、未使用状態において下端に向かうほど互いに離間するように傾斜していてもよいし、未使用状態において互いに平行であってもよい。本実施の形態にあっては、両端部１５は下端部が拡開して形成されている。
【００２９】
この際、両端部１５は、例えば、直径３．０〜３．５ｍｍのステンレス製線材を用いた場合、塑性変形なく両端部１５の下端が互いに接近する方向に弾性変形が許容されるように構成されている。
【００３０】
脚部１３は、両端部１５の下端部から使用状態の正面視において上向きに立ち上がる立上部１６と、立上部１６と前後方向での同一平面上において、上端から皿支持部本体１４と同一方向かつ同一角度で傾斜された皿支持補助部１７とを一体に備えている。
【００３１】
本実施の形態にあっては、側面視において立上部１６及び皿支持補助部１７は略Ｖ字状に形成されている。
【００３２】
なお、脚部１３は、皿支持部１１と共同して塑性変形しない弾性変形可能に形成されており、本実施の形態にあっては、両端部１５の下端と立上部１６の下端との間に水平部１８が設けられ、水切り籠２０の内底面と接触若しくは係合可能となるように構成されている。
【００３３】
係合部１２は、本実施の形態では使用状態において先端部が上向きとなるように略Ｕの字状に屈曲されている。なお、係合部１２の上向き部分による構成ではなく単に外側に向かって略Ｌの字状に屈曲したものであってもよい。
【００３４】
図２（Ａ）に示すように、水切り籠用皿立て具１０は、水切り籠２０の所定に位置、例えば、家族数や調理で使用した食器の種類や数に応じ、脚部１３が互いに接近するように主として皿支持部１１を弾性変形させ、その変形を手を放して解除することにより水切り籠２０の幅方向に対向する内両側面部２１に係合部１２が係合し、装着することができる。
【００３５】
なお、水切り籠２０は、例えば、上面が開放された平面視で長方形の籠である。本実施の形態にあっては全体略直方体形状に形成されている。全体形状は本実施形態のように正直方体形状には限定されない。また、本実施の形態にあっては、水切り籠２０はステンレス製のメッシュ状に形成され、いわゆる「ざる」に類似する形態である。
【００３６】
なお、水切り籠２０は、角部がＲ状のものや上方に向けて各壁面が拡開状に傾斜したものなど、水切り籠２０そのものの形状等は本実施の形態に限定されない。
【００３７】
そして、本実施の形態にあっては、水切り籠用皿立て具１０は、図２Ａ、Ｂに示すように、水切り籠２０の長さ方向において端部から約１/３程度の部位において水切り籠２０内に固定され、皿支持部１１により形成される傾斜面Ａに沿って複数の深皿３１が立てかけて収納される。
【００３８】
したがって、水切り籠２０の長さ方向の対向側面部に隣接して重なるように複数枚の深皿３１が収納され、水切り籠２０の長さ方向の一方側の約１/３の位置に水切り籠用皿立て具１０を設置した場合、深皿３１は水切り籠２０の長さ方向における中央部方向に上端側が傾斜するように収納される。
【００３９】
これにより、図２（Ｂ）に示すように、中央屈曲部１４が水切り籠２０の長さ方向中央部に向かって傾斜するように複数の深皿３１を立て掛けることができ、その反対側に各種の碗３２やコップ等（図示せず）を収納することができる。これにより、線材を用いたものでありながら、深皿３１を支持する部分の全体において中央屈曲部（皿支持部本体）１４が形成する傾斜面Ａにおいて深皿３０を支持することができる。
【００４０】
この際、水切り籠用皿立て具１０は、一条の線材を屈曲させたものであるため、特別な矩形の枠等を必要とせず、水切り籠２０に対する装着位置に自由度を確保することができる。
【００４１】
したがって、皿の数や大きさ等に応じて水切り籠２０に対する位置を任意に変更することができる。
【００４２】
このように、本実施の形態に係る水切り籠用皿立て具１０は、皿支持部１１の両端から一体に延設された係合部１２を水切り籠２０の対向する内両側面部に弾性係合させるだけで、皿支持部１１のうち傾斜されているＶの字状の中央屈曲部１４により複数の深皿３１を傾斜した状態で厚さ方向に重ねて立て掛けて支持し、水切り籠２０の長さ方向端部において、中央部に傾斜するようにして効率よく収納することができる。
【００４３】
その結果、水切り籠２０の残余の、例えば、全体の２/３のスペースに椀３２等の他の食器を十分に収納することができ、結果的に、３人〜４人程度の家族全体の食器であれば、十分に一つの水切り籠２０内にまとめて、かつ安定的に収納することが可能となる。
【００４４】
また、本実施の形態にあっては、皿支持部１１の両端から一体に延設された係合部１２を水切り籠２０の対向する内両側面部に弾性係合させるだけで、皿支持部１１のうち傾斜されているＶの字状の中央屈曲部１４により複数の深皿３１を厚さ方向に沿って重ねるように立て掛けて支持させることにより、一条の線材のみで複数枚の深皿３１を重ねて水切り籠２０に収めることができ、水切り籠２０に他の洗浄済みの食器を収納するためのスペースを容易に確保することができる。
【００４５】
また、係合部１２は、皿支持部１１と同一方向かつ同一角度で傾斜された脚部１６を一体に備えている。すなわち、皿支持部１１の中央屈曲部１４の傾斜角度に応じて複数枚の深皿３１を支持した際の荷重方向に対応している。皿支持部１１の傾斜角度、すなわち、複数枚の深皿３１を中央屈曲部１４で支持した際の荷重方向に対応することができ、強度を維持しつつ線条の太さの細径化や全体形状の簡素化に貢献することができる。
【００４６】
ところで、係合部１２は、上記実施の形態では、使用状態において先端部が上向きとなるようにＵの字状としたものを開示したが、例えば、図３（Ａ）に示すように、使用状態において先端部が下向きとなるクランク状の係合部１９Ａ、或いは、図３（Ｂ）に示すように、一つ以上の外側に凸のＶの字状の係合部１９Ｂ、のように屈曲されていてもよい。
【００４７】
このように、水切り籠２０の形状や壁面構造（メッシュ状やスリット状など）に応じた係合部１２に対応し、係合部１２の形状は使用状態において先端部が上向き若しくは下向きとなるように、クランク状、Ｕの字状、又は一つ以上の外側に凸のＶの字状、に屈曲されている。
【００４８】
したがって、水切り籠２０の形状や壁面構造（メッシュ状やスリット状など）に応じた係合部１２に対応し、係合部１２の形状は使用状態において先端部が上向き若しくは下向きとなるように、クランク状、Ｕの字状、又は一つ以上の外側に凸のＶの字状、に屈曲されていることにより、汎用性を向上することができる。
【符号の説明】
【００４９】
１０  水切り籠用皿立て具
１１  皿支持部
１２  係合部
１３  脚部
１４  中央屈曲部（皿支持部本体）
１５  両端部
１６  立上部
１７  皿支持補助部
１８  水平部
１９Ａ  係合部
１９Ｂ  係合部
２０  水切り籠
２１  内両側面部
３１  深皿
３２  椀
Ａ    傾斜面
【図１】
0003221665.tif 000003
【図２】
0003221665.tif 000004
【図３】
0003221665.tif 000005
【手続補正書】
【提出日】平成31年4月5日(2019.4.5)
【手続補正１】
【補正対象書類名】実用新案登録請求の範囲
【補正対象項目名】全文
【補正方法】変更
【補正の内容】
【実用新案登録請求の範囲】
【請求項１】
剛性を備える一条の線材が屈曲されて形成された水切り籠用皿立て具であって、
水切り籠の内部に立設される皿支持部と、
前記皿支持部の両端から一体に延設されて水切り籠の対向する内両側面部に弾性係合する脚部と、を備え、
前記皿支持部は、前記水切り籠に装着された際に前記水切り籠の中央部に向かって傾斜する傾斜面を形成する皿支持部本体を有することを特徴とする水切り籠用皿立て具。
【請求項２】
前記水切り籠は、全体略直方体形状であってメッシュ状に形成され、前記皿支持部は、前記水切り籠に装着されていることを特徴とする請求項１記載の水切り籠用皿立て具。
【請求項３】
前記皿支持部は、正面視Ｍ字状に形成されると共に、前記皿支持部本体は、正面視Ｖ字状であって、下端部が前記水切り籠の端部方向へ向かって傾斜して折曲形成された中央屈曲部により形成され、
前記脚部は、前記皿支持部本体と同一方向かつ同一角度で傾斜して折曲形成された皿支持補助部を有することを特徴とする請求項２に記載の水切り籠用皿立て具。
【請求項４】
前記皿支持補助部は、外方へ突出して前記対向する内両側面部に係合する係合部を一体に有することを特徴とする請求項３記載の水切り籠用皿立て具。 
【手続補正２】
【補正対象書類名】明細書
【補正対象項目名】全文
【補正方法】変更
【補正の内容】
【考案の詳細な説明】
【技術分野】
【０００１】
本考案は、水切り籠用皿立て具に関し、特に、水切り籠の任意の位置に着脱することができる水切り籠用皿立て具に関する。
【背景技術】
【０００２】
従来の水切り籠用皿立て具は、矩形の線条枠に多条の線材を起立状態で並列状に連結することによって複数の皿受部を区画し、複数枚の皿を各皿受部に１枚の皿を離間した状態で支持するよう構成された食器用の皿立てが知られている（例えば、特許文献１参照）。
【先行技術文献】
【特許文献】
【０００３】
【特許文献１】特開２００８−０１８００５号公報
【考案の概要】
【考案が解決しようとする課題】
【０００４】
このような従来の食器用の皿立てにあっては、線材により形成された狭い空隙からなるスリット内に皿を立てて収納するように構成されている。
【０００５】
しかしながら、いわゆる深皿は、一般の皿よりも所定の厚さ寸法を有しており、深皿はスリット内に収納できない、という問題点があった。
【０００６】
本考案の課題は、上述のような課題を解決するために、いわゆる深皿を効率よく収納することができる水切り籠用皿立て具を提供するものである。
【課題を解決するための手段】
【０００７】
本考案に係る水切り籠用皿立て具は、上記目的を達成のため、剛性を備える一条の線材が屈曲されて形成された水切り籠用皿立て具であって、水切り籠の内部に立設される皿支持部と、前記皿支持部の両端から一体に延設されて水切り籠の対向する内両側面部に弾性係合する脚部と、を備え、前記皿支持部は、前記水切り籠に装着された際に前記水切り籠の中央部に向かって傾斜する傾斜面を形成する皿支持部本体を有するものである。
【０００８】
本考案に係る水切り籠用皿立て具は、脚部を水切り籠の対向する内両側面部に弾性係合させるだけで、皿支持部のうち傾斜されている皿支持部本体により複数の皿、特に、深皿を厚さ方向に重ねるように立て掛けて支持させて収納する。
【０００９】
ここで、本考案に係る水切り籠用皿立て具を水切り籠に使用した場合には、複数枚の深皿を斜めに傾斜させて厚さ方向に沿って効率よく収納することができることから、籠内に他の食器を効率よく収納することができる。
【００１０】
請求項２記載の水切り籠用皿立て具は、前記水切り籠は、全体略直方体形状であってメッシュ状に形成され、前記皿支持部は、前記水切り籠に装着されているものである。
【００１１】
本考案に係る水切り籠用皿立て具は、脚部を水切り籠の対向するメッシュ状の内両側面部に弾性係合させるだけで、皿支持部のうち傾斜されている皿支持部本体により複数の皿を重ねるように立て掛けて支持することができる。
【００１２】
請求項３記載の考案は、前記皿支持部は、正面視Ｍ字状に形成されると共に、前記皿支持部本体は、正面視Ｖ字状であって、下端部が前記水切り籠の端部方向へ向かって傾斜して折曲形成された中央屈曲部により形成され、前記脚部は、前記皿支持部本体と同一方向かつ同一角度で傾斜して折曲形成された皿支持補助部を有するものである。
【００１３】
したがって、脚部は、皿支持部の傾斜角度、すなわち、複数枚の皿を支持した際の荷重方向に対応して形成されており、深皿等の荷重をしっかりと支持することができる。
【００１４】
請求項４記載の考案は、前記皿支持補助部は、外方へ突出して前記対向する内両側面部に係合する係合部を一体に有するものである。
【００１５】
したがって、水切り籠の形状や対向する内両側面部の構造（メッシュ状やスリット状など）に応じた係合部とされている。
【考案の効果】
【００１６】
本考案によれば、脚部を水切り籠の対向する内両側面部に弾性係合させるだけで、皿支持部のうち傾斜されている皿支持部本体により複数の皿を重ねるように立て掛けて支持することにより、一条の線材のみで複数枚の皿を重ねて水切り籠に収めることができ、特に、いわゆる深皿を効率よく収納しつつ、水切り籠に他の洗浄済みの食器を収納するためのスペースを容易に確保することができる水切り籠用皿立て具とすることができる。
即ち、従来のようなスリットにより形成された皿立てにあっては、深皿を立てて収納することができないため、深皿を水切り籠内に厚さ方向に沿って複数枚重ねて収納した場合には、深皿のみが水切り籠内の収納スペースをとってしまい、他の食器の収納が困難又は非常に不安定な状態で重ねておかざるを得ない、という事態があったが、本考案に係る皿立て具を水切り籠に使用した場合には、深皿を水切り籠内の所定範囲内において立てで効率よく収納することができ、多くの様々な食器（家族３人から４人分の食器）を確実に、かつ安定した状態で水切り籠内に収納することが可能となる。
【００１７】
請求項２記載の考案にあっては、前記水切り籠は、全体略直方体形状であってメッシュ状に形成され、前記皿支持部は、前記水切り籠に装着されているものであることにより、脚部とメッシュ状の内両側面部との係合状態を容易に確保することができる。
【００１８】
また、メッシュ状の水切り籠であることから、請求項１記載の効果に加えて、従来のようなスリットにより形成された皿立て部を備えた水切り籠とは異なり、小型の食器がスリットから脱落する事態を回避することができる、という効果を奏する。
【００１９】
請求項３記載の考案にあっては、皿支持部本体の傾斜角度、すなわち、複数枚の皿を支持した際の荷重方向に対応した皿支持補助部とすることができ、強度を維持しつつ線条の太さの細径化や全体形状の簡素化に貢献することができる。
【００２０】
請求項４記載の考案にあっては、水切り籠の形状やメッシュ状の壁面構造に応じた係合部を有することにより、汎用性を向上することができる。メッシュ状の水切り籠の場合には水切り籠の内側面部に固定しやすい皿立て具を提供することが可能となる。
【図面の簡単な説明】
【００２１】
【図１】本考案に係る水切り籠用皿立て具の一実施の形態を示し、（Ａ）は正面図、（Ｂ）は側面図である。
【図２】本考案に係る水切り籠用皿立て具の一実施の形態における適用例を示し、（Ａ）は水切り籠に皿立て具を装着した状態の説明図、（Ｂ）は水切り籠に皿等の食器を収納した状態の説明図である。
【図３】本考案に係る水切り籠用皿立て具の一実施の形態における他の係合部を示し、（Ａ）は下向きクランク状の係合部の説明図、（Ｂ）は外側に凸のＶの字状の係合部の説明図である。
【考案を実施するための形態】
【００２２】
次に、本考案に係る一実施の形態について添付図面を参照して説明する。
【００２３】
図１に示すように、水切り籠用皿立て具１０は、ステンレス等の剛性を備える一条の線材が屈曲されており、正面視Ｍの字状の皿支持部１１と、皿支持部１１の両端から一体に延設されて後述する水切り籠の対向する内両側面部に弾性係合する係合部１２を一体に備えた脚部１３とを備える。
【００２４】
皿支持部１１は、水切り籠２０に装着された際に水切り籠２０の中央部に向かって傾斜する傾斜面Ａを形成する中央屈曲部１４を有している。
【００２５】
皿支持部１１は、その中央部分が皿支持部１１のうち、使用状態の正面視においてＶの字状とされた中央屈曲部１４となっている。また、中央屈曲部１４は、皿支持部本体を構成しており、図１（Ｂ）に示すように、下端部に向かうほど脚部１３から離間するように傾斜されている。
【００２６】
なお、中央屈曲部１４は、下端部が鋭利な角である厳密なＶの字状である必要はなく、下端部が緩やかな円弧又は屈曲した略Ｕの字状の形状をも含む。したがって、皿支持部１１の正面視形状においても、中央屈曲部１４の下端部の形状によって厳密なＭの字状を呈する必要はない。
【００２７】
本実施の形態において中央屈曲部１４の下端部は、皿支持部１１の両端部１５の下端よりも使用状態において上方となるように形成されている。
【００２８】
なお、両端部１５は、未使用状態において下端に向かうほど互いに離間するように傾斜していてもよいし、未使用状態において互いに平行であってもよい。本実施の形態にあっては、両端部１５は下端部が拡開して形成されている。
【００２９】
この際、両端部１５は、例えば、直径３．０〜３．５ｍｍのステンレス製線材を用いた場合、塑性変形なく両端部１５の下端が互いに接近する方向に弾性変形が許容されるように構成されている。
【００３０】
脚部１３は、両端部１５の下端部から使用状態の正面視において上向きに立ち上がる立上部１６と、立上部１６と前後方向での同一平面上において、上端から中央屈曲部１４と同一方向かつ同一角度で傾斜された皿支持補助部１７とを一体に備えている。
【００３１】
本実施の形態にあっては、側面視において立上部１６及び皿支持補助部１７は略Ｖ字状に形成されている。
【００３２】
なお、脚部１３は、皿支持部１１と共同して塑性変形しない弾性変形可能に形成されており、本実施の形態にあっては、両端部１５の下端と立上部１６の下端との間に水平部１８が設けられ、水切り籠２０の内底面と接触若しくは係合可能となるように構成されている。
【００３３】
係合部１２は、本実施の形態では使用状態において先端部が上向きとなるように略Ｕの字状に屈曲されている。なお、係合部１２の上向き部分による構成ではなく単に外側に向かって略Ｌの字状に屈曲したものであってもよい。
【００３４】
図２（Ａ）に示すように、水切り籠用皿立て具１０は、水切り籠２０の所定に位置、例えば、家族数や調理で使用した食器の種類や数に応じ、脚部１３が互いに接近するように主として皿支持部１１を弾性変形させ、その変形を手を放して解除することにより水切り籠２０の幅方向に対向する内両側面部２１に係合部１２が係合し、装着することができる。
【００３５】
なお、水切り籠２０は、例えば、上面が開放された平面視で長方形の籠である。本実施の形態にあっては全体略直方体形状に形成されている。全体形状は本実施形態のように正直方体形状には限定されない。また、本実施の形態にあっては、水切り籠２０はステンレス製のメッシュ状に形成され、いわゆる「ざる」に類似する形態である。
【００３６】
なお、水切り籠２０は、角部がＲ状のものや上方に向けて各壁面が拡開状に傾斜したものなど、水切り籠２０そのものの形状等は本実施の形態に限定されない。
【００３７】
そして、本実施の形態にあっては、水切り籠用皿立て具１０は、図２Ａ、Ｂに示すように、水切り籠２０の長さ方向において端部から約１/３程度の部位において水切り籠２０内に固定され、皿支持部１１により形成される傾斜面Ａに沿って複数の深皿３１が立てかけて収納される。
【００３８】
したがって、水切り籠２０の長さ方向の対向側面部に隣接して重なるように複数枚の深皿３１が収納され、水切り籠２０の長さ方向の一方側の約１/３の位置に水切り籠用皿立て具１０を設置した場合、深皿３１は水切り籠２０の長さ方向における中央部方向に上端側が傾斜するように収納される。
【００３９】
これにより、図２（Ｂ）に示すように、中央屈曲部１４が水切り籠２０の長さ方向中央部に向かって傾斜するように複数の深皿３１を立て掛けることができ、その反対側に各種の碗３２やコップ等（図示せず）を収納することができる。これにより、線材を用いたものでありながら、深皿３１を支持する部分の全体において中央屈曲部（皿支持部本体）１４が形成する傾斜面Ａにおいて深皿３０を支持することができる。
【００４０】
この際、水切り籠用皿立て具１０は、一条の線材を屈曲させたものであるため、特別な矩形の枠等を必要とせず、水切り籠２０に対する装着位置に自由度を確保することができる。
【００４１】
したがって、皿の数や大きさ等に応じて水切り籠２０に対する位置を任意に変更することができる。
【００４２】
このように、本実施の形態に係る水切り籠用皿立て具１０は、皿支持部１１の両端から一体に延設された係合部１２を水切り籠２０の対向する内両側面部に弾性係合させるだけで、皿支持部１１のうち傾斜されているＶの字状の中央屈曲部１４により複数の深皿３１を傾斜した状態で厚さ方向に重ねて立て掛けて支持し、水切り籠２０の長さ方向端部において、中央部に傾斜するようにして効率よく収納することができる。
【００４３】
その結果、水切り籠２０の残余の、例えば、全体の２/３のスペースに碗３２等の他の食器を十分に収納することができ、結果的に、３人〜４人程度の家族全体の食器であれば、十分に一つの水切り籠２０内にまとめて、かつ安定的に収納することが可能となる。
【００４４】
また、本実施の形態にあっては、皿支持部１１の両端から一体に延設された係合部１２を水切り籠２０の対向する内両側面部に弾性係合させるだけで、皿支持部１１のうち傾斜されているＶの字状の中央屈曲部１４により複数の深皿３１を厚さ方向に沿って重ねるように立て掛けて支持させることにより、一条の線材のみで複数枚の深皿３１を重ねて水切り籠２０に収めることができ、水切り籠２０に他の洗浄済みの食器を収納するためのスペースを容易に確保することができる。
【００４５】
また、係合部１２は、皿支持部１１と同一方向かつ同一角度で傾斜された皿支持補助部１７を一体に備えている。すなわち、皿支持部１１の中央屈曲部１４の傾斜角度に応じて複数枚の深皿３１を支持した際の荷重方向に対応している。皿支持部１１の傾斜角度、すなわち、複数枚の深皿３１を中央屈曲部１４で支持した際の荷重方向に対応することができ、強度を維持しつつ線条の太さの細径化や全体形状の簡素化に貢献することができる。
【００４６】
ところで、係合部１２は、上記実施の形態では、使用状態において先端部が上向きとなるようにＵの字状としたものを開示したが、例えば、図３（Ａ）に示すように、使用状態において先端部が下向きとなるクランク状の係合部１９Ａ、或いは、図３（Ｂ）に示すように、一つ以上の外側に凸のＶの字状の係合部１９Ｂ、のように屈曲されていてもよい。
【００４７】
このように、水切り籠２０の形状や壁面構造（メッシュ状やスリット状など）に応じた係合部１２に対応し、係合部１２の形状は使用状態において先端部が上向き若しくは下向きとなるように、クランク状、Ｕの字状、又は一つ以上の外側に凸のＶの字状、に屈曲されている。
【００４８】
したがって、水切り籠２０の形状や壁面構造（メッシュ状やスリット状など）に応じた係合部１２に対応し、係合部１２の形状は使用状態において先端部が上向き若しくは下向きとなるように、クランク状、Ｕの字状、又は一つ以上の外側に凸のＶの字状、に屈曲されていることにより、汎用性を向上することができる。
【符号の説明】
【００４９】
１０  水切り籠用皿立て具
１１  皿支持部
１２  係合部
１３  脚部
１４  中央屈曲部（皿支持部本体）
１５  両端部
１６  立上部
１７  皿支持補助部
１８  水平部
１９Ａ  係合部
１９Ｂ  係合部
２０  水切り籠
２１  内両側面部
３１  深皿
３２  椀
Ａ  傾斜面